【手続補正書】
【提出日】平成29年2月4日(2017.2.4)
【手続補正１】
【補正対象書類名】特許請求の範囲
【補正対象項目名】全文
【補正方法】変更
【補正の内容】
【特許請求の範囲】
【請求項１】
特許出願又は実用新案登録出願のための出願書類の作成を支援する出願用ファイル作成支援サーバであって、装置全体の制御を行う制御部と、記憶部と、通信部と、ファイル画像化部と、前記通信部によってネットワークを介して技術情報ファイル及び発明者情報を取得しこれを対応付けて前記記憶部又は外部記憶装置に記憶させる技術情報ファイル取得部と、当該発明者情報を使用して願書を自動生成する願書生成部と、前記技術情報ファイルを前記ファイル画像化部によって画像ファイルへ変換し、当該画像ファイルを段落番号に貼り付けることで明細書を自動生成する明細書自動生成部と、前記生成された願書と明細書とを用いて電子出願ソフトが受け付ける形式の所定形式出願ファイルを自動生成する出願ファイル生成部と、予め設定された前記記億部の記憶領域に前記所定形式出願ファイルを格納する又は予め設定された外部装置の記憶領域に前記所定形式出願ファイルを格納するために前記通信部から情報を送出するファイル格納処理部と、を備えることを特徴とする出願用ファイル作成支援サーバ。
【請求項２】
前記ファイル画像化部は、前記技術情報ファイルに対応するアプリケーションソフトの印刷機能を利用して印刷出力データを取得し、当該印刷出力データから前記画像ファイルへの変換を実行することを特徴とする請求項１に記載の出願用ファイル作成支援サーバ。
【請求項３】
日時機能部と、当該日時機能部によって得られる日付と、出願日とを比較し、これが予め設定されている期間を超えたか否かを判別し、これを超えた出願についての出願取下書を自動生成する出願取下書生成部を備えることを特徴とする請求項１又は請求項２に記載の出願用ファイル作成支援サーバ。
【請求項４】
装置全体の制御を行う制御部と、演算部と、記憶部と、を備える情報処理装置に、技術情報ファイル及び発明者情報を取得しこれらを対応付けて前記記憶部若しくは外部記憶装置に記憶させるステップと、当該発明者情報と予め前記記憶部又は外部記憶装置に設定されているひな形ファイルを使用して前記演算部によって願書部を自動生成するステップと、前記演算部によって前記技術情報ファイルを画像ファイルへ変換するステップと、前記ひな形ファイルに対して前記演算部によって段落番号に前記画像ファイルを貼り付けることで明細書部を自動生成するステップと、当該自動生成されたファイルを所定のファイル形式である所定形式出願ファイルにて予め設定された前記記億部の記憶領域又は予め設定された外部装置の記憶領域に保存させるステップと、を実行させることを特徴とする出願用ファイル作成支援プログラム。
【請求項５】
前記技術情報ファイルをページごとに画像ファイルへ変換するステップにおいて、当該技術情報ファイルに対応するアプリケーションソフトの印刷機能を実行させて印刷出力データを取得し、当該印刷出力データから前記画像ファイルへの変換を実行する処理を行うことを特徴とする請求項４に記載の出願用ファイル作成支援プログラム。
【請求項６】
前記技術情報ファイル及び発明者情報の取得処理において出願予定日情報若しくは前記技術情報ファイルの公開予定日情報もあわせて取得するステップと、当該出願予定日情報若しくは公開予定日情報から直接または間接的に導出される日時に対応する日別フォルダに前記所定形式出願ファイルを格納するステップと、を実行させることを特徴とする請求項４又は請求項５に記載の出願用ファイル作成支援プログラム。
【請求項７】
前記技術情報ファイル及び発明者情報の取得処理において出願予定日情報若しくは前記技術情報ファイルの公開予定日情報もあわせて取得するステップと、前記記億領域への前記所定形式出願ファイルの格納処理において前記出願予定日情報若しくは前記公開予定日情報を対応付けて保存するステップと、当該出願予定日情報若しくは前記公開予定日情報から直接または間接的に導出される日時が当日に該当する前記所定形式出願ファイルが存在するか否かを判別するステップと、これが存在する場合に当該所定形式出願ファイルを所定フォルダへ移動させるステップと、を実行することを特徴とする請求項４又は請求項５に記載の出願用ファイル作成支援プログラム。
【請求項８】
前記技術情報ファイル及び発明者情報の取得処理において出願予定日情報若しくは前記技術情報ファイルの公開予定日情報もあわせて取得し、これらを対応付けて前記記憶部若しくは外部記憶装置に記憶させるステップと、当該出願予定日情報若しくは前記公開予定日情報から直接または間接的に導出される日時となった際に前記所定形式出願ファイルの自動生成処理を実行し、当該所定形式出願ファイルを所定フォルダへ格納するステップと、を実行することを特徴とする請求項４又は請求項５に記載の出願用ファイル作成支援プログラム。
【請求項９】
出願用ファイル作成支援プログラムによって自動生成された出願であることを示す情報を含んだ整理番号情報を自動生成するステップと、前記願書部の自動生成処理において当該整理番号情報も使用して願書部を生成するステップと、前記出願予定日情報若しくは公開予定日情報から直接または間接的に導出される日時に至った際に、当該日時に対応する前記所定形式出願ファイルの前記整理番号情報を取得するステップと、当該整理番号情報に基づいて、電子出願ソフトの出願処理によって得られる受理済みファイルが格納されるフォルダを検索して当該整理番号に対応する受理済みファイルが無かった場合、又は、電子出願ソフトから出力される一覧出力ファイルを検索して当該整理番号に対応する出願予定日情報若しくは出願番号情報が無かった場合に警告情報を出力するステップと、を実行させることを特徴とする請求項６乃至請求項８の何れか一つに記載の出願用ファイル作成支援プログラム。
【請求項１０】
前記発明者情報に基づいて発明者が従業者であるか否かを判別するステップと、当該判別処理によって従業者で無い発明者が含まれていると判断された場合には、管理者からの承認情報の入力があるまで前記所定形式出願ファイルの自動生成処理の実行処理を行わないことを特徴とする請求項４乃至請求項９の何れか一つに記載の出願用ファイル作成支援プログラム。
【請求項１１】
前記技術情報ファイル及び発明者情報の取得処理において出願予定日情報若しくは前記技術情報ファイルの公開予定日情報もあわせて取得するステップと、前記出願予定日情報若しくは公開予定日情報から直接または間接的に導出される日時までの期間が予め設定されている基準期間より長いか否かを判別するステップと、これが長い場合に前記所定形式出願ファイルの自動生成処理の実行をさせないステップと、を実行させることを特徴とする請求項４乃至請求項１０何れか一つに記載の出願用ファイル作成支援プログラム。
【請求項１２】
前記技術情報ファイルがカラーであることを要するか否かの情報を取得するステップ若しくは前記技術情報ファイルがカラーであるか否かを自動判別するステップと、前記技術情報ファイルがカラーである場合には、前記願書の自動生成において外国語書面のひな形ファイルを利用し、前記明細書の自動生成処理に替えて、前記技術情報ファイルがPDFファイルでなかった場合にはこれをPDFファイルに変換し「外国語書面」の項目名に対してこれを張り付けるステップと、を実行させることを特徴とする請求項４乃至請求項１１の何れか一つに記載の出願用ファイル作成支援プログラム。
【請求項１３】
出願日からの経過期間が予め設定されている取下げ通知期間に至ったか否かを判別するステップと、これに至った場合には取下げ時期を通知する情報を出力するステップ又は取下げ通知期間に至った出願についての出願取下書を自動生成するステップと、を実行させることを特徴とする請求項４乃至請求項１２の何れか一つに記載の出願用ファイル作成支援プログラム。
【請求項１４】
装置全体の制御を行う制御部と、演算部と、記憶部と、を備える情報処理装置に、ログイン処理を行うステップと、技術情報ファイル及び発明者情報を取得しこれらとログイン者情報とを対応付けて前記記憶部若しくは外部記憶装置に記憶させるステップと、当該発明者情報と予め前記記憶部又は外部記憶装置に設定されているひな形ファイルを使用して前記演算部によって願書部を自動生成するステップと、前記演算部によって前記技術情報ファイルをページごとに画像ファイルへ変換するステップと、前記ひな形ファイルに対して前記演算部によって自動生成した各段落番号に前記各画像ファイルを貼り付けることで明細書部を自動生成するステップと、を実行させることを特徴とする出願用ファイル作成支援プログラム。
【請求項１５】
前記演算部によって電子出願ソフトを起動させるステップと、当該電子出願ソフトに前記所定形式出願ファイルの出願処理を実行させるステップと、を実行させることを特徴とする請求項４乃至請求項１４の何れか一つに記載の出願用ファイル作成支援プログラム。